(57)【特許請求の範囲】
【請求項１】
磁性体に着磁させた磁気マークを備える帳票体が所定数重ねられ、当該磁気マークからの磁力を対応の磁気センサにより非接触で検知させる配送体であって、
前記磁気マークは、前記重ねられる帳票体単位でそれぞれ単一で設けられた磁性体の長手方向に二つの磁化方向を互いに異なる方向で着磁されて連続され、当該異なる磁化方向の境界部分で前記磁気センサにより検知させる検知領域を少なくとも一つ有することを特徴とする磁性体マークを備える配送体。
【請求項２】
請求項１記載の配送体であって、前記各帳票体は、当該帳票体間で前記磁気マークの検知領域が互いに重ならない位置に重ねられることを特徴とする配送体。
【請求項３】
請求項１記載の配送体であって、前記各帳票体は、当該帳票体間で前記磁気マークの同じ磁化方向の検知領域を互いに重なる位置に重ねられることを特徴とする配送体。
【請求項４】
請求項１〜３の少なくとも何れかに記載の配送体であって、前記各帳票体の重ね状態で前記磁気センサにより検知させる少なくとも一の前記検知領域を有し、他の位置で前記磁気マークの異なる磁化方向の検知領域を互いに重ねることで磁力を打ち消させることを特徴とする配送体。
【発明の詳細な説明】
【技術分野】
【０００１】
本発明は、磁性体に着磁させた磁気マークを備える帳票体が所定数重ねられる配送体に関する。
【背景技術】
【０００２】
近年、配送体として帳票体を封緘体に封入した後に、個別先に配送することが行われ、封緘体に、実際に個別先毎の帳票体が封入されているか、異なる帳票体が混在していないかを検査することが行われている。このような場合も含めて帳票体を検査するにあたって当該帳票体を確実に認識する必要がある。
【０００３】
従来、封緘体に封入した帳票体のマッチングを行うために、当該帳票体にそれぞれマッチングのためのマークや符号を付しておき、マークや符号を認識することでマッチングの正否を判別することが一般的に行われている。このような帳票体に付すマッチングのためのマークや符号について、以下の特許文献１で提案されているものがある。
【０００４】
上記特許文献１では、シートに照合記号（バーコード）を付すもので、当該照合記号が金属または金属粉入りインキで印刷し、当該照合記号をＸ線透過による検査装置により読み取ってマッチング検査を行うことが提案されている。また、インキの他に、導電粉末入りのトナーを定着させる技術も提案されている。
【０００５】
しかしながら、上記特許文献１で提案されているように、シートに照合記号（バーコード）を形成させるに際して、Ｘ線で検出可能な金属または金属粉入りインキで印刷を行うことによって可変的データを容易に照合記号として形成させることができるものであるが、インキ内に含ませる金属または金属粉の量はインキという特性上限度があって形成シート上に何枚かの介在物があると、下層の照合記号が認識されないか、または誤認識する場合も生じてくると共に、Ｘ線を使用するシステムは高価となる。
【０００６】
一方、Ｘ線ではなく、磁性体で内容物を検知する技術が以下の特許文献２で提案されている。当該特許文献２は、自己の有する保磁力を越える交番磁界を与えたときに急峻な磁化反転を生じる強磁性体粉末を含有したインキまたは塗料を、包装用箱に収納される内容物に印刷または塗布して検知用マークを設けるというものである。
【０００７】
上記特許文献２で提案されているものは、内容物に設けた検知用マークに対して、両側に当該強磁性体の保持力を超える交番磁界を印加する発生用コイルと検知用コイルとを配置して検知用マークを検知するものであるから、これを帳票体のマッチング等に適用することは高価になることもあって現実的ではない。
【０００８】
【特許文献１】特許第３０９８５５７号公報
【特許文献２】特開２００３−２８５８０８号公報
【０００９】
上記特許文献１、２に鑑みて、本出願人は、マッチング用マークを磁性体で形成し、これを磁気センサにより非接触で検知することを想到したものである。
【００１０】
そこで、図９に本発明の前提となる帳票体の一例の説明図を示すと共に、図１０に図９における磁性体マークの検知の説明図を示す。図９（Ａ）は、封緘体に封入させる帳票体を示したもので、図９（Ａ）において、連続帳票体１０１が搬送方向両側にマージナル部１０２Ａ，１０２Ｂを形成させ、個片帳票体１０３Ａ〜１０３Ｃで構成する一の帳票体１０３が連続されたものであって、個片帳票体１０３Ａ〜１０３Ｃの何れかに、その一方端のマーク形成領域に、磁性体粉が混入されたインキで印刷により例えば６つの磁性体マーク１１１Ａ〜１１１Ｆが搬送方向に対する垂直方向（幅方向）に連設され、帳票体１０３毎に何れかの磁性体マーク１１１Ａ〜１１１Ｆが着磁される。また、何れかの個片帳票体１０３Ａ〜１０３Ｃの所定箇所に住所、氏名、識別符号等が印刷される。
【００１１】
上記連続帳票体１０１は、搬送中の一工程でマージナル部１０２Ａ，１０２Ｂが除去され、また、単一の帳票体１０３に切断されて、折り込み線１０４で例えばＺ折りで折曲される。このような折曲された帳票体１０３が、図９（Ｂ）に示されるように、封緘体１０５に封入されるもので、このときに当該封緘体１０５の窓部１０６に上記印刷した住所、氏名、識別符号等が表出されるように帳票体１０３が封入される。この状態で当該帳票体１０３に形成された磁性体マーク１１１Ａ〜１１１Ｆの何れかに着磁された磁性体マーク（以下、磁気マークという）の位置と、当該封緘体１０５の窓部１０６より表出される認識符号を認識してマッチングが行われるものである。
【００１２】
上記マッチングは、図１０（Ａ）に示すように、封入工程の後に搬送手段１２１により図示しない撮像位置まで搬送されて窓部１０６より表出された識別符号が撮像、認識され、さらにマーク検出位置まで搬送されて配置されたマーク検知部１２３により何れかの着磁された磁性体マーク１１１Ａ〜１１１Ｆの磁気マークが検知され、認識された識別符号と検知された磁気マークの位置でマッチングが行われるものである。
【００１３】
すなわち、上記マーク検知部１２３は、搬送されてくる封緘体１０５に封入された帳票体１０３の磁性体マーク１１１Ａ〜１１１Ｆに対してそれぞれ磁気センサ１３１〜１３６で対応されており、何れかの磁気センサ１３１〜１３６が検知することで磁気マークの位置が判別されるものである。ところで、着磁された磁性体マーク（ここでは、磁気マーク１１１Ａとする）は、図１０（Ｂ）に示すように、Ｎ極端部とＳ極端部とにおいて磁力（絶対値）が最大となり、各端部からの距離にしたがって徐々に磁力が低下し、Ｎ極とＳ極との切り替わり目で磁力が最小（ゼロ）になるという性質を有する。
【発明の開示】
【発明が解決しようとする課題】
【００１４】
しかしながら、図１０（Ａ）に示すように、搬送手段１２１上で帳票体１０３が搬送されたときに、上下方向にいわゆるバタツキを生じた場合、当該バタツキによって磁気マークと磁気センサが接近すると磁気マークの両端から遠ざかる方向に対して当該磁気センサの出力値が広がりをみせ、隣接する磁性体マーク（非着磁のマーク）あるいは磁気マークに影響を及ぼして何れの検知かを判別できなくなるという問題がある。また、着磁されない非着磁マークが外部磁界の影響を受ける場合もあって誤検知の可能性もあるという問題がある。さらには、一の磁性体マークには一の情報しか与えられず自由度が低いという問題もある。
【００１５】
そこで、本発明は上記課題に鑑みなされたもので、外部磁界の影響を回避させて重ねられた複数の帳票体に対して設けられる磁気マークの自由度を向上させ、確実に検知可能とさせる配送体を提供することを目的とする。
【課題を解決するための手段】
【００１６】
上記課題を解決するために、請求項１の発明では、磁性体に着磁させた磁気マークを備える帳票体が所定数重ねられ、当該磁気マークからの磁力を対応の磁気センサにより非接触で検知させる配送体であって、前記磁気マークは、前記重ねられる帳票体単位でそれぞれ単一で設けられた磁性体の長手方向に二つの磁化方向を互いに異なる方向で着磁されて連続され、当該異なる磁化方向の境界部分で前記磁気センサにより検知させる検知領域を少なくとも一つ有する構成とする。
【００１７】
請求項２〜４の発明では、「前記各帳票体は、当該帳票体間で前記磁気マークの検知領域が互いに重ならない位置に重ねられる」構成であり、
「前記各帳票体は、当該帳票体間で前記磁気マークの同じ磁化方向の検知領域を互いに重なる位置に重ねられる」構成であり、
「前記各帳票体の重ね状態で前記磁気センサにより検知させる少なくとも一の前記検知領域を有し、他の位置で前記磁気マークの異なる磁化方向の検知領域を互いに重ねることで磁力を打ち消させる」構成である。
【発明の効果】
【００１８】
本発明によれば、磁性体に着磁させた磁気マークを備える帳票体が所定数重ねられるものであり、磁気マークが、重ねられる帳票体単位でそれぞれ単一で設けられた磁性体の長手方向に二つの磁化方向を互いに異なる方向で着磁されて連続され、当該異なる磁化方向の境界部分で磁気センサにより検知させる検知領域を少なくとも一つ有する構成とすることにより、一の帳票体において単一の磁性体に対して総て着磁された状態で連続させた異なる磁化方向の境界部分で磁力の増大が図られた検知領域が形成されることから検知領域以外の部分が外部磁界の影響を受けにくく、誤検知を回避させることができ、これら帳票体を重ねた形態とすることで検知可能な検知領域数のコントロールやさらなる磁力増大が可能となり、併せて磁気マークへの情報付与の自由度を向上させることができ、また、検知領域のマーク部分を確実に検知させることができるものである。
【発明を実施するための最良の形態】
【００１９】
以下、本発明の最良の実施形態を図により説明する。
図１に本発明に係る配送体の構成図を示す。図１（Ａ）において、配送体１１は、それぞれ個別の帳票体１２，１３が重ね合わされて構成される。ここでは、２枚の帳票体を重ねられる場合として説明するが、３枚以上でも同様である。
【００２０】
上記帳票体１２は、所定位置に、長手方向に対する幅方向全体に単一の磁気マーク２１が形成される。例えば、長手方向に対する幅方向が９９ｍｍ（Ａ４サイズの長手方向の長さの１／３）として、幅２ｍｍで磁気マーク２１が形成される。当該磁気マーク２１は、磁性体を例えば印刷等により形成し、後述の図２で説明する磁気記録ヘッドにより、図１（Ｂ）に示すように、長手方向に二つの磁化方向を互いに異なる方向で着磁させて連続させたもので、当該異なる磁化方向の境界部分が後述の磁気センサにより検知させる検知領域２３Ａとなる。
【００２１】
上記帳票体１３は、例えば帳票体１２と同サイズであり、重ね合わせたときに上記磁気マーク２１と同位置となる部分に単一の磁気マーク２２が形成されるもので、当該磁気マーク２２は、図１（Ｃ）に示すように磁気マーク２１と同様の手法で、一例として上記検知領域２３Ａとは別位置に検知領域２３Ｂが形成されたものである。そして、帳票体１２に帳票体１３が重ねられたときの各磁気マーク２１は、図１（Ｄ）に示すように、検知領域２３Ａ，２３Ｂが長さ方向で互いに異なる位置となる。
【００２２】
ここで、図２に、図１における磁気マークに対する着磁の説明図を示す。図２（Ａ）において、磁気記録ヘッド３１は誘導型の一般的な構成のものであり、コア３２にコイル３３が巻回され、当該コア３２の端部が微小ギャップＧを有している。そして、コイル３３を通電することにより、極性に応じてギャップＧの両端が電極３４Ａ（Ｎ極、Ｓ極），３４Ｂ（Ｓ極、Ｎ極）となり、磁化方向が決定される。
【００２３】
上記のような磁気記録ヘッド３１により、上記帳票体１２，１３に形成された磁性体４１に対して着磁により長手方向に二つの磁化方向を互いに異なる方向で連続させる場合、図２（Ｂ）に示すように、磁性体４１の長手方向に対する垂直方向に磁気記録ヘッド３１の２極の電極３４Ａ，３４Ｂを併設させ、当該電極３４Ａ，３４Ｂに対して垂直方向に当該磁性体４１の短辺側より通過させる。
【００２４】
例えば、図２（Ｂ）に示すように、電極３４ＡをＮ極、電極３４ＢをＳ極としてコイル３３を通電させ、当該磁性体４１を短辺側より通過させると、ギャップＧが当該磁磁性体４１の上記検知領域２３となる位置を過ぎたときにＮ極→Ｓ極の磁化方向に着磁される。その後に、図２（Ｃ）に示すように、電極３４Ａ，３４Ｂの極性を反転させることにより、端部又は次の極性反転までがＳ極←Ｎ極の磁化方向に着磁され、全体として２つの異なる磁化方向で着磁されて連続された単一の磁気マーク４２とされるもので、異なる磁化方向の境界部分が検知領域４３となるものである。
【００２５】
続いて、図３に、図１における磁気マークの磁化長の説明図を示す。図３（Ａ）において、図２に示す磁気記録ヘッド３１により互いの磁化方向が異なる方向に連続して着磁（図３ではＳ極←Ｎ極とＮ極→Ｓ極とを連続させた場合とする）させた場合、磁気マーク４２の磁力は、内側の隣接された同極（Ｎ，Ｎ）部分では、互いの磁力が重畳（加算）された値となり、両長方端側の同極（Ｓ，Ｓ）部分では一極ずつの値となる。当該重畳された部分が検知領域４３として図３（Ｂ）に示す磁気センサ４４で磁力が検知されて対応の出力信号が得られる。
【００２６】
例えば幅２ｍｍの磁気マーク４２に端部から検知領域４３までの、図３（Ｂ）に示すそれぞれの長さ（磁化長）で保持力１５００（Ｏｅ：単位エルステッド）の磁性体に４０００（Ｇ：ガウス）の残留磁束密度で着磁させ、磁気センサ（アイチ・マイクロ・インテリジェント社製のＭＩセンサ）４４による高さ３ｍｍの位置における出力信号値（２．５Ｖを基準値とする）が、図３（Ｃ）、（Ｄ）に示される。
【００２７】
すなわち、図３（Ｃ）、（Ｄ）に示すように、検知領域が端部から遠く（長く）なるに従って出力信号値が比例して高くなり、端部から約６ｍｍより飽和状態となることが測定された。これを適用する場合には、磁化長を端部から６ｍｍを越えて形成させることで最大の出力信号値（磁力）を得るように構成することができるものである。
【００２８】
そこで、図４に図１の配送体の磁気マークに対する磁気センサの対応説明図を示すと共に、図５に図１における磁気マークの磁気センサ検知の説明図を示す。図４（Ａ）、（Ｂ）において、帳票体１２，１３が重ねられて磁気マーク２１，２２が重ねられた配送体１１をマッチング検査するに際して、重ねられた磁気マーク２１，２２の上方（上記同様の高さ３ｍｍ）で磁気センサ群５１により検知が行われる。ここで、磁気マーク２１，２２は、図１に示したものと同様の各磁気マーク２１，２２であり、保持力１５００（Ｏｅ）の磁性体インキに４０００（Ｇ）の残留磁束密度で着磁させて検知領域２３Ａ，１２Ｂが配置形成されているものとして説明する。
【００２９】
上記磁気センサ群５１は、例えば図３（Ｂ）で説明した磁気センサ４４と同様の５つの磁気センサ５１Ａ〜５１Ｅが等間隔で配置されたもので、当該磁気センサ５１Ａ〜５１Ｅの位置に対応させて磁気マーク２１，２２に検知領域２３Ａ，２３Ｂが形成される。すなわち、図４（Ｂ）に示すように、重ねられた磁気マーク２１，２２に対し、当該磁気マーク２１の検知領域２３Ａを磁気センサ５１Ｂで検知し、磁気マーク２２の検知領域２３Ｂを磁気センサ５１Ｄで検知するものである。
【００３０】
詳しくは、各磁気センサ５１Ａ〜５１Ｅの出力信号が２．５Ｖを基準として、図５（Ａ）に示すように磁気センサ５１Ｂが磁気マーク２１におけるＳ，Ｓ極の検知領域２３Ａを検知して出力信号がピーク値となり、図５（Ｂ）に示すように磁気センサ５１Ｄが磁気マーク２２におけるＳ，Ｓ極の検知領域２３Ｂを検知して出力信号がピーク値となる。すなわち、図５（Ｃ）に示すように、重ねられた磁気マーク２１，２２に対する磁気センサ群５１のうちの磁気センサ５１Ｂ，５１Ｄの出力を重ねた状態で２つのピーク値の出力信号が得られるものである。なお、他のセンサ５１Ａ，５１Ｃ，５１Ｅは磁力を検知しないことから出力のピークは発生しない。
【００３１】
なお、磁気センサ５１Ｂにおける検知領域２３Ａの検知に際して重なった磁気マーク２２の磁化部分は端部（磁極）ではなく影響しない。同様に、磁気センサ５１Ｄにおける検知領域２３Ｂの検知に際して重なった磁気マーク２１の磁化部分は端部（磁極）ではなく影響しないものである。
【００３２】
このように、一の帳票体において単一の磁性体に対して総て着磁された状態で連続させた異なる磁化方向の境界部分で磁力の増大が図られた検知領域が形成されることから磁気センサによる信号の特定を容易とすることができると共に、検知領域以外の部分が外部磁界の影響を受けにくく、誤検知を回避させることができる。また、前述（図９）のように磁気マークを複数とせずに単一とすることから隣接の磁気マークの影響が受けにくいことから検知領域を近づけることも可能となってマーク情報量を増やすことができるものである。そして、これら帳票体を重ねた形態とすることで全体として検知可能な検知領域数のコントロールが可能となり、併せて磁気マークへの情報付与の自由度を向上させることができるものである。
【００３３】
次に、図６に、図１における磁気マークに対する他の着磁形態の説明図を示す。図６（Ａ）は、帳票体１２，１３間で互いの磁気マーク２１，２２の同じ磁化方向のＳ，Ｓ極の検知領域２３Ａ，２３Ｂを互いに重なる位置に重ねたものである。この各磁気マーク２１，２２の同じ磁化方向のＳ，Ｓ極を重ねることで磁力が重畳（加算）された特性を示し、さらなる磁力を増大させることができるものである。そして、この重なった検知領域２３Ａ，２３Ｂを磁気センサ５１Ｃで検知させることにより大きなピーク値の出力信号を得ることができ、信号の特定、誤検知の回避を図ることができるものである。
【００３４】
また、図６（Ｂ）において、各帳票体の重ね状態で磁気センサにより検知させる少なくとも一の検知領域を形成し、他の位置で磁気マークの異なる磁化方向の検知領域を互いに重ねることで磁力を打ち消させる構成としたものである。すなわち、磁気マーク２１にＳ，Ｓ極の検知領域２３Ａ−１と、Ｎ，Ｎ極の検知領域２３Ａ−２とを形成し、一方で磁気マーク２２に、上記検知領域２３Ａ−２に重なる位置にＳ，Ｓ極の検知領域２３Ｂを形成したものである。
【００３５】
すなわち、図６（Ｂ）は磁気センサ５１Ｂの出力と磁気センサ５１Ｄの出力とを重ねた状態が示され、磁気センサ５１Ｂにより磁気マーク２１の検知領域２３Ａ−１に対応する出力信号が得られるが、磁気センサ５１Ｄにおいては磁気マーク２１のＮ，Ｎ極の検知領域２３Ａ−２の磁力と磁気マーク２２のＳ，Ｓ極の検知領域２３Ｂの磁力が互いに打ち消し合うことから検知されない状態とされるものである。
【００３６】
このように、異なる磁化方向の検知領域を重ねて磁力を打ち消す状態とさせることも可能となり、重ね状態の全体として検知可能な検知領域数をコントロールすることができ、磁気マークへの情報付与の自由度を向上させることができるものである。
【００３７】
次に、図７及び図８に、本発明における配送体の他の形態の説明図を示す。上記実施形態の配送体１１は、個別の帳票体１２と帳票体１３とを重ねた状態としたものであるが、この実施形態では２つ折りで重ねた形態（図７）、３片の巻き込み折りで重ねた形態（図８）として構成したものである。
【００３８】
すなわち、図７（Ａ）において、帳票体１２Ａと帳票体１３Ａとを折り込み線６２で連続させ、当該折り込み線６２で重ねる磁気マーク６１を単一で形成させたものである。例えば、全体をＡ４サイズとして長手方向で２つ折りさせることで、図１に示す配送体１１と同様の形態となる。
【００３９】
そして、磁気マーク６１は、図７（Ｂ）に示すように、帳票体１２Ａ部分で例えばＳ，Ｓ極の検知領域２３Ａを形成させ、帳票体１３Ａ部分で例えばＳ，Ｓ極の検知領域２３Ｂを折り込み線６２による折り込みで上記検知領域２３Ａと重なる位置に形成させたものである。すなわち、折り込み線６２で各帳票体１２Ａ，１３Ａを２つ折りにより重ねた状態で検知領域２３Ａと検知領域２３Ｂとが重なり、図６（Ｂ）と同様の形態とさせたものである。
【００４０】
このように、予め定められた折り込み線６２により２つ折りで重ねることから、重なる検知領域の位置決めを確実とさせることができるものであり、ひいては外部磁界の影響を回避させて重ねられた複数の帳票体に対して設けられる磁気マークの自由度を向上させ、確実に検知可能とさせることができるものである。
【００４１】
続いて、図８（Ａ）は配送体１１を３片の巻き込み折りで重ねたもので、各帳票体１２Ａ，１３Ａ，１４Ａを折り込み線６２Ａ，６２Ｂで連続させ、当該折り込み線６２Ａ，６２Ｂで重ねる磁気マーク６１Ａを単一で形成させたものである。そして、帳票体１２Ａ上に折り込み線６２Ａによる折り込みで帳票体１３Ａを折り重ね、当該帳票体１３Ａ上に折り込み線６２Ｂによる折り込みで帳票体１４Ａを折り重ねることによって３片の巻き込み折りの配送体１１とさせたものである。
【００４２】
そして、磁気マーク６１Ａは、図８（Ｂ）に示すように、帳票体１２Ａ部分で例えばＳ，Ｓ極の検知領域２３Ａを形成させ、帳票体１３ＡでＮ，Ｎ極の検知領域２３Ｂを折り込み線６２Ａによる折り込みで検知領域２３Ａと重ならない位置に形成させ、さらに帳票体１４Ａ部分で例えばＳ，Ｓ極の検知領域２３Ｃを折り込み線６２Ｂによる折り込みで上記検知領域２３Ａと重なる位置に形成させたものである。すなわち、折り込み線６２Ａ，６２Ｂの折り込みで検知領域２３Ｂが単独で位置され、検知領域２３Ａと検知領域２３Ｃとを重ならせたもので、磁気センサ５１Ｂが検知領域２３Ｂを検知し、磁気センサ５１Ｄが重畳された磁力で検知領域２３Ａ，２３Ｃを検知するものである。
【００４３】
このように、予め定められた折り込み線６２Ａ，６２Ｂにより３つ折りで重ねることによっても、検知領域の重ね若しくは単独とさせる位置決めを確実とさせることができるものであり、ひいては上記同様に外部磁界の影響を回避させて重ねられた複数の帳票体に対して設けられる磁気マークの自由度を向上させ、確実に検知可能とさせることができるものである。
【産業上の利用可能性】
【００４４】
本発明の配送体は、複数の帳票体で構成される配送体のマッチングのために磁気センサで検知される磁気マークが形成される場合に適する。
【図面の簡単な説明】
【００４５】
【図１】本発明に係る配送体の構成図である。
【図２】図１における磁気マークに対する着磁の説明図である。
【図３】図１における磁気マークの磁化長の説明図である。
【図４】図１の配送体の磁気マークに対する磁気センサの対応説明図である。
【図５】図１における磁気マークの磁気センサ検知の説明図である。
【図６】図１における磁気マークに対する他の着磁形態の説明図である。
【図７】本発明における配送体の他の形態の説明図（１）である。
【図８】本発明における配送体の他の形態の説明図（２）である。
【図９】本発明の前提となる帳票体の一例の説明図である。
【図１０】図９における磁気マークの検知の説明図である。
【符号の説明】
【００４６】
１１                    配送体
１２，１３              帳票
２１，２２，５１，６１  磁気マーク
３１，５２              磁気センサ
４１                    磁気記録ヘッド
４４                    電極
６２                    折り込み線
【図１】
0005078734.tif 000002
【図２】
0005078734.tif 000003
【図３】
0005078734.tif 000004
【図４】
0005078734.tif 000005
【図５】
0005078734.tif 000006
【図６】
0005078734.tif 000007
【図７】
0005078734.tif 000008
【図８】
0005078734.tif 000009
【図９】
0005078734.tif 000010
【図１０】
0005078734.tif 000011